(57)【要約】【課題】特別の設備投資を行うことなく、送信部と受信部の双方の調整をより短時間で行うことのできる無線機、無線機調整システムおよび無線機の調整方法を得ること。【解決手段】送信部２１１と受信部２１２とを備えた無線機２０１は、信号レベルの調整を行う送信レベル調整部２１４と受信レベル調整部２１５を備えている。送信部２１１がバースト信号を送信波２３１として出力すると、サーキュレータ２２１を経由してスペクトラムアナライザ２２２がこれを検出し、バースト信号検出器２２４がそのオン・オフ区間を検出してタイミング調整回路２２５が信号発生器２２３をバースト信号がオフとなる区間でオンとなるように制御する。これにより、送信レベル調整部２１４と受信レベル調整部２１５は時間的に並行してそれぞれの調整が可能になる。【選択図】図１
2010050870.tif 000002
【特許請求の範囲】
【請求項１】
所定の時間間隔で送信波のオン・オフを繰り返すバースト信号を外部に送出する送信手段と、
この送信手段から送出される前記送信波の出力レベルを調整する送信レベル調整手段と、
受信波を外部から受信する受信手段と、
前記送信レベル調整手段の調整時に前記受信手段の調整を時間的に並行して行う受信レベル調整手段
とを具備することを特徴とする無線機。
【請求項２】
前記受信波を模擬的に発生する信号発生器を備え、
前記受信レベル調整手段は、前記バースト信号のオン・オフを検出する検出手段と、この検出手段の検出結果に基づいて前記バースト信号がオンとなる区間で前記信号発生器の出力する受信波をオフとし、前記バースト信号がオフとなる区間で前記信号発生器の出力する受信波をオンとするタイミング調整手段とを具備することを特徴とする請求項１記載の無線機。
【請求項３】
前記バースト信号はそのオンとなる区間で信号レベルの互いに異なる調整ポイントを備えることを特徴とする請求項１記載の無線機。
【請求項４】
所定の時間間隔で送信波のオン・オフを繰り返すバースト信号を外部に送出する送信手段と、受信波を外部から受信する受信手段とを備えた無線機と、
この送信手段から送出される前記送信波の出力レベルを調整する送信レベル調整手段と、この送信レベル調整手段の調整時に前記受信手段の調整を時間的に並行して行う受信レベル調整手段とを備えた調整装置
とを具備することを特徴とする無線機調整システム。
【請求項５】
前記調整装置は、前記受信波を模擬的に発生する信号発生器と、前記バースト信号のオン・オフを検出する検出手段と、この検出手段の検出結果に基づいて前記バースト信号がオンとなる区間で前記信号発生器の出力する受信波をオフとし、前記バースト信号がオフとなる区間で前記信号発生器の出力する受信波をオンとするタイミング調整手段とを具備することを特徴とする請求項４記載の無線機調整システム。
【請求項６】
無線機の送信部から無線で送出されるバースト信号のオン・オフされるタイミングを検出するタイミング検出ステップと、
このタイミング検出ステップで検出された前記バースト信号がオンとなる区間でこの無線機の受信部の受信する受信波を模擬する出力をオフとし、前記バースト信号がオフとなる区間で前記出力をオンとするように信号発生器の出力するタイミングを制御する受信波模擬出力制御ステップと、
この受信波模擬出力制御ステップでタイミング制御が行われている状態で前記送信部と前記受信部の信号レベルの調整を並行して行う調整ステップ
とを具備することを特徴とする無線機の調整方法。
【発明の詳細な説明】
【技術分野】
【０００１】
本発明は、送信部と受信部を備えた無線機と、これら送信部と受信部の双方の調整を行うようにした無線機調整システムおよび無線機の調整方法に係わり特に送信部がバースト信号を出力する場合に好適な無線機、無線機調整システムおよび無線機の調整方法に関する。
【背景技術】
【０００２】
無線機が無線を送信する送信部と無線を受信する受信部の双方を備えている場合、その量産ラインではこれら送信部と受信部の信号レベルの調整を行っている。これには、信号レベルの調整には、たとえば本発明に関連する第１の関連技術としてパワーメータが使用されている（たとえば特許文献１参照）。
【０００３】
図７は、このような無線機の調整方法についての本発明の第２の関連技術を説明するためのものである。無線機の調整が開始されたら（ステップＳ１０１：Ｙ）、まず、送信部に対する送信の調整を行い（ステップＳ１０２）、これが終了したら、受信部に対する受信の調整を行う（ステップＳ１０３）。以上で無線機の調整が終了する（エンド）。もちろん、製造ラインの構成によっては先に受信部に対する受信の調整を行って、次に送信部に対する送信の調整を行うようにしてもよい。
【０００４】
図８は、この第２の関連技術で無線機の送信の調整を行う場合の時間軸上での処理の様子を表わしたものである。この図で横軸は時間の経過を表わしており、縦軸は図示しない無線機の出力を表わしている。送信部から送出される信号はバースト信号であり、たとえば単位時間ｔ1ごとに送信がオンになる区間とオフになる区間を繰り返している。
【０００５】
したがって、送信部の調整に当たっては、図示しないスペクトラムアナライザを用いて、特定の周波数に対する無線機の出力レベルのオン・オフのタイミングを測定する。そして、送信がオンとなるときの無線機内部の出力レベルが予め定めた値となるような調整が行われる。
【０００６】
図９は、これに対して、この第２の関連技術で無線機の受信の調整を行う場合の時間軸上での処理の様子を表わしたものである。この図で横軸は時間の経過を表わしており、縦軸は図示しない信号発生器の出力を表わしている。受信側では、調整時に信号発生器の出力が常にオン（送信オン）となっている。このとき送信部の送信波の出力は停止している。
【特許文献１】特開２００７−１８９４５３号公報（第０００２段落）
【発明の開示】
【発明が解決しようとする課題】
【０００７】
このように本発明の関連技術では、バースト信号を送信する送信部と受信部とが備えられた無線機では、送信部と受信部のいずれか一方についてその信号レベルの調整を行い、その後に他方の信号レベルの調整を行っていた。これは、送信部が送信波としてバースト信号を出力するので、その出力のリークが受信部に影響を及ぼす場合があるからであった。たとえば無線機が送信波を出力すると、送信帯域以外の前後の周波数帯にも電力の盛り上がり(スプリアス)が発生する。これが受信帯域の電力の盛り上がりとして受信機に混入すると、ノイズとなって受信レベルの正確な測定ができなくなるからである。このような悪影響を避けるため、従来では受信部の調整時に送信部の出力を完全に停止しておくようにしておく必要があった。
【０００８】
このため、バースト信号の送出を行わない送信部を備えた無線機が送信部と受信部を並行して調整できる場合に比べて、調整時間が長時間化するという問題があった。この結果、無線機の生産台数が向上しないという問題が発生していた。
【０００９】
そこで本発明の目的は、特別の設備投資を行うことなく、送信部と受信部の双方の調整をより短時間で行うことのできる無線機、無線機調整システムおよび無線機の調整方法を提供することにある。
【課題を解決するための手段】
【００１０】
本発明では、（イ）所定の時間間隔で送信波のオン・オフを繰り返すバースト信号を外部に送出する送信手段と、（ロ）この送信手段から送出される前記した送信波の出力レベルを調整する送信レベル調整手段と、（ハ）受信波を外部から受信する受信手段と、（ニ）前記した送信レベル調整手段の調整時に前記した受信手段の調整を時間的に並行して行う受信レベル調整手段とを無線機に具備させる。
【００１１】
また、本発明では、（イ）所定の時間間隔で送信波のオン・オフを繰り返すバースト信号を外部に送出する送信手段と、受信波を外部から受信する受信手段とを備えた無線機と、（ロ）この送信手段から送出される前記した送信波の出力レベルを調整する送信レベル調整手段と、この送信レベル調整手段の調整時に前記した受信手段の調整を時間的に並行して行う受信レベル調整手段とを備えた調整装置とを無線機調整システムに具備させる。
【００１２】
更に本発明では、（イ）無線機の送信部から無線で送出されるバースト信号のオン・オフされるタイミングを検出するタイミング検出ステップと、（ロ）このタイミング検出ステップで検出された前記したバースト信号がオンとなる区間でこの無線機の受信部の受信する受信波を模擬する出力をオフとし、前記したバースト信号がオフとなる区間で前記した出力をオンとするように信号発生器の出力するタイミングを制御する受信波模擬出力制御ステップと、（ハ）この受信波模擬出力制御ステップでタイミング制御が行われている状態で前記した送信部と前記した受信部の信号レベルの調整を並行して行う調整ステップとを無線機の調整方法に具備させる。
【発明の効果】
【００１３】
以上説明したように、本発明ではバースト信号を送出する送信部を備えた無線機の送信部と受信部の各信号レベルを調整する際に、バースト信号のオン・オフする区間を判別することにした。これにより、無線機の調整時に送信波と受信波の出力のリークによる影響をなくすことができ、送信波と受信波を同時に調整することが可能になる。これにより、無線機の調整時間の短縮に伴う生産性の向上が期待され、装置のコストダウンを図ることができる。
【発明を実施するための最良の形態】
【００１４】
次に本発明を一実施の形態と共に詳細に説明する。
【００１５】
図１は、本発明の一実施の形態における無線機調整システムを表わしたものである。本実施の形態の無線機調整システム２００は、携帯電話機としての無線機２０１と、調整時にこれに接続される調整装置２０２とで構成されている。ここで無線機２０１は、その内部にバースト信号の送信を行うための送信部２１１と、信号の受信を行うための受信部２１２と、これら両者を無線機２０１の外部端子に接続するためのデュプレクサ２１３を備えている。また、送信部２１１には送信波の信号レベルを調整するための送信レベル調整部２１４が接続され、受信部２１２には、受信レベルの調整を行う受信レベル調整部２１５が接続されている。
【００１６】
一方、調整装置２０２は、無線機のデュプレクサ２１３に接続されたサーキュレータ２２１と、このサーキュレータ２２１に接続されたスペクトラムアナライザ２２２および受信波を模擬的に出力する信号発生器２２３を備えている。スペクトラムアナライザ２２２は、送信部２１１から出力されるバースト信号としての送信波２３１を受信するバースト信号検出器２２４と接続されている。このバースト信号検出器２２４の検出結果２３２はタイミング調整回路２２５に供給される。タイミング調整回路２２５はこれを基にして信号発生器２２３の発生する受信波２３３を制御するタイミング信号２３４を信号発生器２２３に供給するようになっている。
【００１７】
サーキュレータ２２１は、無線機２０１側に接続された第１の端子Ｔ1と、スペクトラムアナライザ２２２側に接続された第２の端子Ｔ2と、信号発生器２２３側に接続された第３の端子Ｔ3を備えた受動的なデバイスである。送信部２１１によって生成された送信波２３１は、デュプレクサ２１３を経由して第１の端子Ｔ1からサーキュレータ２２１に入力される。この送信波２３１は第２の端子Ｔ2からのみ出力されて、スペクトラムアナライザ２２２に入力される。これにより、スペクトラムアナライザ２２２は送信波２３１の測定をすることが可能になる。
【００１８】
一方、信号発生器２２３から出力された受信信号を模擬するための受信波２３３は、第３の端子Ｔ3からサーキュレータ２２１に入力される。そして、この受信波２３３は第１の端子Ｔ1からのみ出力されて、デュプレクサ２１３を経由して受信部２１２に入力される。これにより、受信部２１２は、受信波２３３の受信レベルを測定することが可能になる。
【００１９】
図２は、このような無線機の調整方法を説明するためのものである。図１と共に説明する。
【００２０】
本実施の形態の場合、無線機２０１の調整が開始されたら（ステップＳ３０１：Ｙ）、サーキュレータ２２１の使用によって、送信部２１１に対する送信の調整と、受信部２１２に対する受信の調整とが送信レベル調整部２１４と受信レベル調整部２１５で平行して行われる（ステップＳ３０２）。送信レベル調整部２１４と受信レベル調整部２１５は、それぞれ自動化された調整回路を備えており、所望の信号レベルに一致するように信号レベルの調整を行う。このようにして、無線機２０１の送信部２１１と受信部２１２の調整自体は１つの工程のみで終了する（エンド）。このため、調整時間の短縮を図ることができることになる。
【００２１】
図３は、本実施の形態における送信部と信号発生器の送信のオン・オフタイミングの様子を表わしたものである。この図で横軸は時間の経過を表わしている。また、同図（Ａ）における縦軸は図１に示した無線機２０１の出力を示しており、同図（Ｂ）における縦軸は図１に示した信号発生器２２３の出力を示している。図１と共に説明する。
【００２２】
本実施の形態では、送信部２１１が所定の単位時間ｔ2ごとに送信波２３１の出力のオン・オフを繰り返すバースト信号を発生するようになっている。このような状況で送信レベル調整部２１４と受信レベル調整部２１５が同時に信号レベルの調整を行えるようにするため、本実施の形態では、図３（Ｂ）に示す信号発生器２２３の出力が、同図（Ａ）に示す無線機２０１の出力がオンとなるときにオフとなり、また、オフとなるときにオンとなるようにタイミング調整が行われるようになっている。
【００２３】
このため、スペクトラムアナライザ２２２の入力側に接続されたバースト信号検出器２２４が図３（Ａ）に示す無線機２０１の出力としての送信部２１１の送信波２３１のオン・オフの状態を検出する。そして、この検出結果２３２を基にしてタイミング調整回路２２５が図３（Ｂ）に示す逆のタイミングでオン・オフするように受信波２３３の送信のオン・オフのタイミングを制御することになる。
【００２４】
この結果、送信波２３１と受信波２３３は相互に干渉しないことになって、送信部２１１と受信部２１２のそれぞれの信号レベルの調整を信頼性よく行うことができる。すなわち、送信レベル調整部２１４および受信レベル調整部２１５では、それぞれ図３に示す送信がオンとなるタイミングで信号レベルをチェックする。そして、それらの信号レベルの時間的な平均を採る等の手法で信号レベルが安定的に予め定めた値に一致した時点で調整を終了させる。
【００２５】
このように本実施の形態では、信号発生器２２３の出力を無線機２０１の出力がオフになる単位時間ｔ2をオンとし、無線機２０１の出力がオンとなる単位時間ｔ2をオフにするので、無線機２０１および信号発生器２２３の出力のリークによる影響を取り除くことが可能である。
【００２６】
したがって、無線機２０１の調整時に信号発生器２２３の出力のリークが十分無視できるレベルである場合には、図３に示したように送信部２１１の信号レベルの調整区間に信号発生器２２３の出力をオフにする必要はない。
【００２７】
以上説明したように本発明の実施の形態によれば、送信の調整と受信の調整を同じフローで実施するので、これらの調整時間を短くすることができる。また、無線機調整システム２００はサーキュレータ２２１を必要とするだけで、特別の設備が不要である。このため、設備投資の費用を抑えることができるという効果がある。
【００２８】
＜発明の第１の変形例＞
【００２９】
図４は、本発明の第１の変形例として、信号発生器の出力のリークが無視できる場合の送信部と信号発生器の送信のオン・オフ調整タイミングの一例を示したものである。この図で横軸は時間の経過を表わしている。また、同図（Ａ）における縦軸は図１に示した無線機２０１の出力を示しており、同図（Ｂ）における縦軸は図１に示した信号発生器２２３の出力を示している。図１と共に説明する。
【００３０】
図１に示した信号発生器２２３の出力のリークが無視できる場合には、図４（Ｂ）に示すように信号発生器２２３の出力を連続的にオンとしたまま、図２のステップＳ３０２による送信部２１１と受信部２１２の調整を並行して行うことができる。なお、この図では無線機２０１の出力のオン・オフ制御が共に単位時間ｔ2で行われるようになっているが、両者の時間長が相違するものであってもよい。図３に示した実施の形態の場合も同様である。
【００３１】
以上説明した第１の変形例によれば、信号発生器２２３の出力が無線機２０１の送信波２３１に比べて十分小さいような場合、信号発生器２２３の出力を常にオン状態とすることができ、調整系の動作をより単純にできるという利点がある。
【００３２】
＜発明の第２の変形例＞
【００３３】
以上説明した実施の形態および第１の変形例では、送信部の出力レベルの調整ポイントが１つだけ存在する場合について示した。本発明はこれに限定されるものではない。送信部の出力レベルの調整ポイントが２以上存在する場合にも、送信部の調整と並行して、受信部の調整を行うことができる。
【００３４】
図５は、送信部の出力レベルの調整ポイントが３つ存在する場合の送信部と信号発生器の送信のオン・オフ調整タイミングの一例を示したものである。この図で横軸は時間の経過を表わしている。また、同図（Ａ）における縦軸は図１に示した無線機２０１の第２の変形例における出力を示しており、無線機の送信部の出力レベルが３段階に変化している。
【００３５】
この第２の変形例では、送信オンとなる単位時間ｔ2を３等分した形で無線機の出力レベルが段階的に変化している。これに対して、受信部における信号発生器２２３の出力する時間帯（送信オンとなる時間帯）は、同図（Ｂ）に示すように無線機の送信部２１１の出力がオフとなる時間帯と一致している。
【００３６】
もちろん、この第２の変形例の場合にも、図４（Ｂ）に示したように信号発生器２２３の出力を連続的にオンとすることができる。ただし、無線機２０１の調整時に信号発生器２２３の出力のリークが十分無視できるレベルであることが前提である。
【００３７】
＜発明の第３の変形例＞
【００３８】
図６は、本発明の第３の変形例における無線機調整システムの構成の概要を示したものである。図６で図１と同一部分には同一の符号を付しており、これらの説明を適宜省略する。この第３の変形例では、無線機調整システム２００Ａの一部を構成する無線機２０１Ａの送信部２１１Ａと受信部２１２Ａの間に、これらのタイミングを採るためのタイミング調整回路４０１が設けられている。タイミング調整回路４０１は、図３に示したように送信部２１１Ａの送信波２３１の出力がオンとなる区間で受信部２１２Ａの動作をオフとすると共に、送信波２３１の出力がオフとなる区間で受信部２１２Ａの動作をオンとするようになっている。したがって、調整装置２０２Ａには、図１に示したバースト信号検出器２２４およびタイミング調整回路２２５が設けられていない。
【００３９】
このような構成の無線機調整システム２００Ａでも、図２に示したようにサーキュレータ２２１の使用によって、送信部２１１Ａに対する送信の調整と、受信部２１２Ａに対する受信の調整とが送信レベル調整部２１４と受信レベル調整部２１５で並行して行われることになる（ステップＳ３０２）。
【００４０】
また、以上説明した実施の形態および各変形例では、無線機が携帯電話機であることを前提に説明したが、これに限定されるものでなく、調整可能な送信部と受信部を備えたすべての装置に本発明を適用することができる。たとえばバースト信号を送信する送信部を受信部と共に備えた無線基地局に対しても本発明を適用することができる。
【００４１】
更に、第２の変形例では、送信部の出力レベルの調整ポイントが３つ存在する場合を示したが、２つあるいは４つ以上調整ポイントが存在する場合にも本発明を同様に適用することができる。
【００４２】
また、実施の形態および変形例では送信波のオンとされる区間とオフとされる区間が等しい場合の例を示したが、これらが異なっていてもよいことは当然である。
【００４３】
更に、実施の形態および変形例では、無線機２０１、２０１Ａ側に送信レベル調整部２１４および受信レベル調整部２１５を具備させたが、これらの全部または一部を調整装置２０２、２０２Ａ側に配置するようにしてもよい。
【図面の簡単な説明】
【００４４】
【図１】本発明の一実施の形態における無線機調整システムの構成の概要を示したブロック図である。
【図２】本実施の形態における無線機の調整方法を示した流れ図である。
【図３】本実施の形態における送信部と信号発生器の送信のオン・オフの様子を示したタイミング図である。
【図４】本発明の第１の変形例として信号発生器の出力のリークが無視できる場合の送信部と信号発生器のオン・オフの様子を示したタイミング図である。
【図５】本発明の第２の変形例で送信部の出力レベルの調整ポイントが３つ存在する場合の送信部と信号発生器のオン・オフの様子を示したタイミング図である。
【図６】本発明の第３の変形例における無線機調整システムの構成の概要を示したブロック図である。
【図７】第２の関連技術における無線機の調整方法を示した流れ図である。
【図８】第２の関連技術で送信部の調整を行う場合の無線機の出力のオン・オフを示すタイミング図である。
【図９】第２の関連技術で無線機の受信の調整を行う場合のタイミング図である。
【符号の説明】
【００４５】
２００、２００Ａ  無線機調整システム
２０１、２０１Ａ  無線機
２０２、２０２Ａ  調整装置
２１１、２１１Ａ  送信部
２１２、２１２Ａ  受信部
２１３  デュプレクサ
２２１  サーキュレータ
２２２  スペクトラムアナライザ
２２３  信号発生器
２２４  バースト信号検出器
２２５、４０１  タイミング調整回路
【図１】
2010050870.tif 000003
【図２】
2010050870.tif 000004
【図３】
2010050870.tif 000005
【図４】
2010050870.tif 000006
【図５】
2010050870.tif 000007
【図６】
2010050870.tif 000008
【図７】
2010050870.tif 000009
【図８】
2010050870.tif 000010
【図９】
2010050870.tif 000011